(57)【特許請求の範囲】
【請求項１】
液体が封入された液体封入防振シートであって、
袋状にしたフィルム内部に液体を封入した複数のシート状の液体封入袋体と、
折り曲げ可能でゴムのようには伸びない素材により構成され、前記液体封入袋体にかかる延び応力に対する抵抗力を向上させるように前記複数のシート状の液体封入袋体を各々互いに分離して平面的に並べて固着された可とう性シートと、
前記液体封入袋体または可とう性シートのいずれかに固着され、身体を表面に押し付けた際に弾性変形するとともに身体の表面形状に沿った形状に変形し、外力がなくなると元の形状に復帰するゴムのような弾性素材により構成された弾性シート、
よりなる液体封入防振シート。
【請求項２】
前記可とう性シートは、前記複数のシート状の液体封入袋体の両側に固着されているとともに、前記弾性シートは、可とう性シートの表面に固着されている事を特徴とする請求項１記載の液体封入防振シート。
【請求項３】
前記可とう性シートの厚さが、０．１ｍｍから５ｍｍ程度で、前記弾性シートの厚さが、３ｍｍから５０ｍｍ程度であることを特徴とする、請求項１乃至請求項２のいずれか１項に記載の液体封入防振シート。
【発明の詳細な説明】
【技術分野】
【０００１】本発明は、液体封入防振シートに関する。特に、車やバスその他乗り物の座席、船や飛行機など交通機関や重機など建設土木などの動力機械の座席に装着して使用し、その座席での振動を軽減する液体封入防振シートに関する
【背景技術】
【０００２】機械、車、交通機関、船など動力で動く乗り物の座席には程度の差はあれ、強弱様々な振動が伝わってくる。
この振動を軽減するため、特許文献１に示すように、水等の液体を封入した袋体を、面状に配置した液体封入防振シートが記載されている。
【先行技術文献】
【特許文献】
【０００３】
【特許文献１】特開２０１５−０９４４４８号公報
【発明の開示】
【発明が解決しようとする課題】
【０００４】しかしながら、従来の液体封入防振シートでは、体型の個人差を考慮できず、体圧分散性が良好とならない場合がある。そのため場合によっては、液体を封入した袋体が、そこにかかる不均衡な応力集中により、装着中に液体封入袋体が破損して内部の液体が流失する恐れがある。【０００５】本発明は、上記の課題を解決するもので、その目的とするところは、従来の液体封入防振シートの改良として、体型の個人差に対して、体圧分散性を良好にさせ、それによって、液体を封入した袋体にかかる不均衡な応力集中を抑制し、装着中に液体封入袋体が破損して内部の液体が流失するのを抑制する液体封入防振シートを提供するものです。
【課題を解決するための手段】
【０００６】本発明は上記の課題を解決するために、下記の液体封防振シートを提供するものです。
（１）液体が封入された液体封入防振シートであって、袋状にしたフィルム内部に液体を封入した複数のシート状の液体封入袋体と、折り曲げ可能でゴムのようには伸びない素材により構成され、前記液体封入袋体にかかる延び応力に対する抵抗力を向上させるように前記複数のシート状の液体封入袋体を各々互いに分離して平面的に並べて固着された可とう性シートと、前記液体封入袋体または可とう性シートのいずれかに固着され、身体を表面に押し付けた際に弾性変形するとともに身体の表面形状に沿った形状に変形し、外力がなくなると元の形状に復帰するゴムのような弾性素材により構成された弾性シート、よりなる液体封入防振シート。
（２）前記可とう性シートは、前記複数のシート状の液体封入袋体の両側に固着されているとともに、前記弾性シートは、可とう性シートの表面に固着されている液体封入防振シート。
（３）前記可とう性シートの厚さが、０．１ｍｍから５ｍｍ程度で、前記弾性シートの厚さが、３ｍｍから５０ｍｍ程度である液体封入防振シート。
【発明の効果】
【０００７】液体封入防振シートにおいて、体型の個人差に対して、体圧分散性を良好にさせ、それによって液体を封入した袋体にかかる不均衡な応力集中を抑制し、装着中に液体封入袋体が破損して、内部の液体が流出するのを抑制する液体封入防振シートを提供することができる。
【図面の簡単な説明】
【０００８】
【図１】本発明の液体封入防振シートの概略断面図を示している。
【図２】本発明の液体封入防振シートの別の概略断面図を示している。
【図３】本発明の液体封入防振シートの別の概略断面図を示している。
【図４】本発明の液体封入防振シートの別の概略断面図を示している。
【図５】本発明の液体封入防振シートの別の概略断面図を示している。
【図６】本発明の液体封入防振シートの別の概略断面図を示している。
【図７】本発明の液体封入防振シートを座席に装着した場合の斜視図を示している。
【発明を実施するための形態】
【０００９】  本発明のフィルムは、少なくとも一面が熱可塑性を有するプラスチックフィルムで、熱可塑性面どうしで、熱圧着により固着することができる。中間に金属を積層すると耐透湿性が改善される。
【００１０】  本発明の液体は、水または有機溶媒か、またはこれに、食塩水等の塩または有機物が溶解した溶液をさす。塩や有機物の溶解により、凝固点が降下しやすい。
【００１１】  本発明の液体封入袋体は、袋状にしたフィルムの内部に液体を封入保持したシート状の袋体をさす。袋体を作成するのに、２枚のフィルムを使用してもよいが、筒状のフィルムを使用してもよい。
部分的に内側を圧着すると、封入保持した液体が分散しやすかったり、液体の分散化を最適化しやすかったりすることができる。圧着部分は変形しやすく、特にその外側と部分的に帯状に内側とを圧着して袋状にすると、帯状部分で折れ曲がりやすくなる。
内側の部分的な圧着部分に貫通孔を設けると通気性が改善するし、貫通孔を複数設けるとより曲がりやすくなる。また、液体封入袋体は、複数分散して下記の弾性シート上にならべてシート状にしてもよい。
この袋体は、外側と部分的に内側を圧着した外袋と、その圧着部分ごとに分けられた内側空間内に設けた液体を封入した複数の内袋とから形成されていてもよい。このほうが液体を封入した内袋を安定して量産化しやすい。
【００１２】  本発明の弾性シートは、身体をこの表面に押し付けた際に弾性変形し、このシート表面が身体の表面形状に沿った形状にある程度変形し、外力がなくなると原形状に復帰するような、しなやかさを持つシートである。厚さは、３ｍｍから５０ｍｍ程度のシート状で、液体封入袋体の両面または座席面とは反対側に貼り合わせる。材質としては、発砲性または多孔質の弾性プラスチックもしくはゴム、プラスチック繊維状の構造体、またはゲルシートが使用できる。
発砲性または多孔質の、弾性プラスチックもしくはゴムを使用した場合、特に成型性が向上するので、液体封入袋体と面で接触しやすくなる。
プラスチック繊維状の構造体は、３次元的に網目構造とるシートで、特に通気性が向上する。
ゲルシートを使用した場合、特に身体との追従性が向上する。
液体封入袋体とは、接着剤や粘着剤や両面テープで固着させるが、液体封入袋体表面にスプレー等により吹付、シート状にすると、直接固着できる。
【００１３】  本発明のバンドは、ひもまたはテープ状のものをさす。テープ状のものとしては、プラスチック粘着テープ、接着テープ等が使用できる。液液体封入袋の部分的に帯状に内側が圧着された部分のところまたは分離されたところで、外周一周以上巻き回して縛り、液体封入袋体と弾性シートとをより一層固着維持させることができる。
また、ひもを通して縛るとは、液体封入袋の部分的に帯状に内側が圧着された部分のところに貫通孔を設け、その貫通孔にひもを通して縛ることで、液体封入袋体と弾性シートとをより一層固着維持させることができる。
【００１４】  本発明の難滑層は、座席表面との摩擦係数が大きな層で、座席表面に接触して使用される。表面加工された難滑性のゴムやプラスチックまたは難滑性不織布などが使用できる。特に、難滑層として、ヌバック調生地を採用すると、濡れやすい面でも滑りにくい。
【００１５】  本発明の外袋体は、液体封入防振シートを収納する平面袋または立体袋で、端面に持ち手を設けると持ち運びがしやすくなる。また、内表面に撥水処理をすると、液漏れが改善される。立体袋の場合で背もたれに使用する場合には、特に座席の背もたれ面とすわり面両側表面には難滑層を設けると、使用中座席からずれにくくなる。
【００１６】  本発明の可とう性シートは、折り曲げ可能でゴムのようには伸びないシートで、厚さは、０．１ｍｍから５ｍｍ程度で、ポリ塩化ビニル、ポリエチレン、ポリプロピレーン、ポリエステル、ナイロンなどのプラスチックシートが使用できる。表面に放電処理などをすると接着性が改善しやすい。
また、メッシュ状にしたものや貫通孔設けたものは、通気性が向上しやすい。
炭素繊維シートを使用すると、強度と通気性が向上しやすい。
可とう性シートを使用する場合には、弾性シートよりも内側に、液体封入袋体に固着させる。
【００１７】  本発明のヌバック調生地とは、外観的には、皮革の裏側のようにポリウレタン樹脂等を加工して、繊維が少しけば立っていて、感触は粘り気のある合成皮革で、難滑性を有する。
【００１８】  本発明の持ち手とは、液体封入防振シート本体の少なくとも片側に設ける、この本体を持つために取り付けたもので、手が入る程度の空間をもたせた、ひも状または短冊状の両端をこの本体の側面等に固着させて設けることができる。
【００１９】  以下、本発明の実施の形態を図面に基づいて説明する。
【００２０】図１は、本発明の液体封入防振シートの概略断面図を示している。
液体封入袋体１は、重ねた２枚のフィルム１ａを、その外側と部分的に内側とを圧着した圧着部１ｂとを有し、それによって得られた袋内部に液体１ｃ封入保持している。
弾性シート２は、液体封入袋体１の少なくとも片面に固着されている。固着は全面が好ましいが間欠的でもよい。固着方法としては、接着剤や粘着剤の塗布または両面テープの積層で行うことができる。弾性シート２を溶融状で液体封入袋体に吹きつけ固化してもよい。
【００２１】図２は、本発明の液体封入防振シートの別の概略図を示している。
図２（ａ）は断面図を、図２（ｂ）は正面図を示している。
液体封入袋体１は、複数分割して平面上にならんでいて、弾性シート２に固着されている。
この場合、個々の液体封入袋体１はわかれているので、液体封入防振シートの変形に対して、相互に影響を及ぼしにくい。
【００２２】図３は、本発明の液体封入防振シートの別の概略断面図を示している。
液体封入袋体１の、少なくとも片面に弾性シート２を固着させた液体封入防振シートに、液体封入袋体１の部分的に帯状に内側が圧着された部分のところで、外周一周以上、バンド３で縛った状態を示している。
これにより、液体封入袋体１と弾性シート２が、より一層固着が維持されやすい。
【００２３】図４は、本発明の液体封入防振シートの別の概略断面図を示している。
液体封入袋体１の両面に弾性シート２を固着させ、その弾性シート２の座席側表面には難滑層４を設けている構造となっている。
難滑層４を設けることにより、液体封入防振シートが座席表面に密着するため、液体封入袋体１と難滑層４との間に弾性シート２を設けることにより、液体封入袋体１と難滑層４との間に発生する使用時のずれを緩和することができる。
【００２４】図５は、本発明の液体封入防振シートの別の概略断面図を示している。
液体封入袋体１の、少なくとも片面に弾性シート２を固着させ、外袋体５内に収納するとともに、その外袋体５の座席側表面には難滑層４を設けた構成となっている。
液体封入袋体１と難滑層４とが別部材に分かれたことにより、液体封入袋体１と難滑層４との間に発生する使用時のずれをより緩和することができる。
また、外袋体５に撥水性を持たせることにより、液体封入袋体１の液体１ｃの外部への漏れの抑制となる。
【００２５】図６は、本発明の液体封入防振シートの別の概略断面図を示している。
液体封入袋体１の座席側に可とう性シート６を固着させ、液体封入袋体１の座る側の面に弾性シートを固着させ、外袋体５内に収納するとともに、その外袋体５の座席側表面には難滑層４を設けた構成となっている。
液体封入袋体１への可とう性シート６の固着は、接着剤や粘着剤の塗布または両面テープの積層で行うことができる。固着は、液体封入袋体１が全体的な延び縮みを減少させるもので、間欠的でも良好となる。
可とう性シート６は、液体封入袋体１の両側に固着させ、その可とう性シート６表面の両側に、弾性シートを固着させてもよい。また、可とう性シート６は、液体封入袋体１の座席側に可とう性シート６を固着させ、その両側表面に、弾性シートを固着させてもよい。
可とう性シート６を、液体封入袋体１の両側に固着させると、片側よりも液体封入袋体１にかかる延び応力に対して抵抗力がより向上する。
【００２６】図７は、本発明の液体封入防振シートを座席に装着した場合の斜視図を示している。
液体封入防振シート８の圧着部分は、厚みが薄く変形しやすくなるので、座席７の座部と背部のそれぞれの外形状にそった変形可能なように圧着部分を設ける。特に、帯状に内側を圧着して袋状にすると、帯状部分で折れ曲がりやすくなる。
【００２７】また、液体封入防振シート８にあっては、座部背部が接合連結した防振シートとしないで、それぞれ独立して座席７に装着すると、人の着座時に起こる重量負荷による上記の接合連結部分の破損を防ぐことができる。体型の個人差に対して、体圧分散性を良好にさせ、不均衡な応力集中を抑制します。更には、液体封入防振シート８を座席７に装着する際、座部の移動を防ぐための補強ベルトでの固定などの部品や、取り付けの手間も省略できる。
【００２８】また、液体封入防振シート８は、座部と背部の内部部品に液体を入れた樹脂性袋体を配置した構造のためおのずから有意な重さを持つので、座部と背部の下面及び底面に大きな摩擦抵抗が働く。それは同時に、液体封入防振シート８が重力によって座席７に固定されることを意味している。
背部は座席対して、座席７の傾き角度（θ）により、背部の重量×サインθの力が座席７に装着する力として働き、液体封入防振シート８を固定する。
そのため、液体封入防振シート８は、ここで生じる摩擦力が抵抗力として働き、動く事なく安定的に装着できる。これを可能にする座部と背部の有意な重量としては、１００ｇ〜１０ｋｇ、好ましくは３００ｇ〜５ｋｇ程度が好適となる。
【００２９】座面と背部ともに、それぞれに掛かる着座時の荷重を受けても、形の変形や位置の移動がなく、これらの機能が実現できます。
【００３０】座部は円筒形の液体を封入した袋体が平面状に複数個並べて固定してあり、装着中に前後左右に、変形することがありません。また、背部についても同様に同じ構造の面状の液体を封入した袋体防振シートで、上下左右前後に変形することがありません。
【００３１】背部は、内部部品である円筒状の液体の入った袋体が、重力と同方向に並ぶように設置される必要があります。その「円筒形の短冊構造」のために、人の着座時に起こる負荷によっても、上下左右前後に変形やずれをおこしません。尚ここで言う変形とは、当該シートが折れ曲がったり、上下に縮んだりする現象を言います。
【００３２】ここでは座部と背部共に形の変形しない例として、円筒形の液体を封入した袋体の例を挙げましたが、袋体の形は着座時に起こる負荷によって変形しなければ、それ以外の形でも差し支えありません。
【００３３】置くだけで安定に装着できる液体封入防振シート８において、背部の厚さも有意となる。
数センチと決める必要はないが、厚さが１ｃｍ以下の場合や１０ｃｍ以上の場合はそれぞれ、倒れたり、窮屈となったりと不都合が生じる。１ｃｍ〜５ｃｍ位が好適となる。
【００３４】必須ではないが、背部の座席シートに接する下部端面も、ヌッバック調生地の難滑性素材で構成すると、座席の前部に背部のずれを防ぐ機能が向上する。
【００３５】液体封入防振シートの液体封入体である積層フィルムの袋体の配置や数は、座席に装着するシートの大きさや形に合わせて自由にできます。図の参照例としては標準的な長方形を用いて説明しますが、正方形、円形、楕円形図など合理的な目的に合わせることができます。
【産業上の利用可能性】
【００３６】本発明は防振シートです。機械や乗り物の、船その他多くの産業機械、飛行機などで使用できる。
おおきな特徴は、「マイシート」として持ち運び使用が簡単にでき、使用する座席のサイズに合わせる不都合もほとんどなく、座席への装着が単に置くだけで可能になる。
【符号説明】
【００３７】  １…液体封入袋体、１ａ…フィルム、１ｂ…圧着部、１ｃ…液体、２…弾性シート、３…バンド、４…難滑層、５…外袋体、６…可とう性シート、７…座席、８…液体封入防振シート
【図１】
0006923775.tif 000002
【図２】
0006923775.tif 000003
【図３】
0006923775.tif 000004
【図４】
0006923775.tif 000005
【図５】
0006923775.tif 000006
【図６】
0006923775.tif 000007
【図７】
0006923775.tif 000008